(57)【特許請求の範囲】
【請求項１】
画像を表示する表示部と、該表示部上に積層して配される操作部と、を備えたスイッチユニットであって、
前記操作部は、
押し下げ自在の天面部が透明に形成された複数の押しボタン部と、
前記表示部の表示領域と対応する位置に、表示領域の周縁部を避けて複数の開口が間を隔てて形成された透明なベースと、
前記ベースの下方に配設され、前記天面部の外周と対応する位置に光源を有する透明基板と、を備え、
前記押しボタン部は、
前記天面部を有するボタン本体と、
前記ボタン本体の下方に鍔状に設けられ、前記光源を覆うように配設される枠状の導光体と、
前記ボタン本体および前記導光体の外周を、前記天面部を除いて覆う透明な枠状のカバーと、
前記導光体の内周面に一体に形成された、前記天面部の内周側に漏れる光を遮光する内側遮光部と、
前記カバーの外周面に一体に形成された、前記カバーの外周側に漏れる光を遮光する外側遮光部と、を備えると共にユニット化され、
前記ベースに設けられた前記開口を介して前記透明基板上に載置されていることを特徴とするスイッチユニット。
【請求項２】
前記ボタン本体は、
前記天面部、該天面部よりも一回り大きい枠状の台部、および前記天面部と前記台部との間を繋ぐ弾性変形自在な屈曲変形部が一体に形成されていることを特徴とする請求項１に記載のスイッチユニット。
【請求項３】
請求項１又は２に記載のスイッチユニットを備えることを特徴とする遊技機。
【発明の詳細な説明】
【技術分野】
【０００１】
本発明はスイッチユニットおよびこれを搭載した遊技機に関するものである。
【背景技術】
【０００２】
従来から、いわゆるスロットマシンと呼ばれる遊技機が存在している。スロットマシンでは、複数種類のシンボルが表示された複数のリールが回転し、停止したときに窓に表示されているシンボルの揃い方および揃っているシンボルにより役が決定して、役とベット数（賭け数）とに応じて賞が付与される。ベット数の入力やリールの回転開始の指示等は、スロットマシンの正面に設けられた操作盤により行われる。
【０００３】
このようなスロットマシンが設置されるカジノ等の遊技施設には、様々な遊技機メーカのマシンが設置されており、遊技者は、嗜好のあったマシンを選択して遊技を行う。そのため、遊技施設では遊技者に人気のあるスロットマシンを設置して、競合する他の遊技施設に対する優位性の確保を図っている。また、遊技機メーカでは遊技施設からの要望に応えるべく、遊技者にアピールできるスロットマシンの開発に努力している。
【０００４】
スロットマシンにおいて、操作盤はマシンの前面の外観上目立つ位置に設けられると共に、遊技者が直接操作するものでもある。そのため、遊技者へアピールするための重要な開発箇所となっている。
【０００５】
本願出願人も、操作盤に配設されるスイッチユニットとして、アピール度の高いスイッチユニットを開発して、本件よりも先に出願している（特許文献１）。このスイッチユニットは、表示装置の上に、押し下げ自在の操作ボタンを複数有する操作ユニットが積層して配置されており、表示装置に表示された画像を、透明な操作ボタンを介して視認できる構成である。これにより、表示装置に様々な画像を表示する表示演出が可能となる。
【０００６】
さらに、このスイッチユニットでは、操作ボタンの周囲（外周）に枠状の導光体を設けると共に、操作ボタンの下方に、ＬＥＤが搭載された印刷回路基板を配設して、操作ボタンの周囲を光らせる光演出も可能となっている。
【０００７】
印刷回路基板には、操作ボタンと対応する位置に開口が設けられ、その周囲にＬＥＤが配設されている。印刷刷回路基板上には、ＬＥＤを覆うようにラバーシートが配設されており、このラバーシートの厚みを工夫することで、導光体のある上に向かう光は透過させつつ、隣接する操作ボタンへの光漏れを引き起こす横に向かう光を遮蔽している。これにより、各々の操作ボタンの周囲を意図通りの色で光らせることができ、完成度の高い光演出が可能となる。
【先行技術文献】
【特許文献】
【０００８】
【特許文献１】特開２０１４−４４８３３号公報（２０１４年３月１３日公開）
【発明の概要】
【発明が解決しようとする課題】
【０００９】
本願出願人は、よりインパクトのある表示演出を行うべく、表示装置を大型化し、表示装置の表示領域に複数の操作ボタンを間を隔てると共に表示領域の周縁部を避けて配置し、操作ボタン間、および操作ボタンの配置領域の周囲からも画像を視認できる構成とした。
【００１０】
しかしながら、その場合、１枚構成であった上記ラバーシートを、操作ボタン毎に切り分けることが必要となり、部品点数が増加し、工程も煩雑化する。また、切り分けられたラバーシートでは、組立時に位置ずれが起こり易い。位置ずれが起こると、操作ボタンの周囲を光らせる光演出において、操作ボタンの内側や外側に光が漏れて、表示装置による表示演出に干渉したり、他の操作ボタンの光演出に干渉したりして、演出の完成度が低下する。
【００１１】
本発明は、上記課題に鑑みなされたものであり、その目的は、操作ボタン間および操作ボタンの配置領域の周囲にも画像を表示して、よりインパクトのある表示演出を可能としながらも、部品点数の増加や工程の煩雑化を伴うことなく光演出の光漏れも抑制し得るスイッチユニットを提供することにある。
【課題を解決するための手段】
【００１２】
前記の課題を解決するために、本発明のスイッチユニットは、画像を表示する表示部と、該表示部上に積層して配される操作部と、を備えたスイッチユニットであって、前記操作部は、押し下げ自在の天面部が透明に形成された複数の押しボタン部と、前記表示部の表示領域と対応する位置に、表示領域の周縁部を避けて複数の開口が間を隔てて形成された透明なベースと、前記ベースの下方に配設され、前記天面部の外周と対応する位置に光源を有する透明基板と、を備え、前記押しボタン部は、前記天面部を有するボタン本体と、前記ボタン本体の下方に鍔状に設けられ、前記光源を覆うように配設される枠状の導光体と、前記ボタン本体および前記導光体の外周を、前記天面部を除いて覆う透明な枠状のカバーと、前記導光体の内周面に一体に形成された、前記天面部の内周側に漏れる光を遮光する内側遮光部と、前記カバーの外周面に一体に形成された、前記カバーの外周側に漏れる光を遮光する外側遮光部と、を備えると共にユニット化され、前記ベースに設けられた前記開口を介して前記透明基板上に載置されていることを特徴としている。
【００１３】
上記構成によれば、押しボタン部の位置を決めるベースの開口は、表示領域の周縁部を避けて複数の開口が間を隔てて形成されているので、押しボタン部間および押しボタン部の配置領域の周囲にも表示部の画像を表示して、よりインパクトのある表示演出が可能となる。
【００１４】
また、光源の光を枠状の導光体内部に伝播させて、押しボタン部の天面部の外周を光らせる光演出において、天面部の内周側に漏れる光は内側遮光部にて遮光され、カバーの外周側に漏れる光は外側遮光部にて遮光される。これにより、天面部の内周側やカバーの外周側に光が漏れて、表示部による表示演出に干渉したり、隣り合う他の押しボタン部の光演出に干渉したりすることを防止できる。
【００１５】
そして、押しボタン部はユニット化されているので、ベースの開口を介して透明基板上に押しボタン部を載置するだけの簡単な作業で、内側遮光部および外側遮光部を位置ずれもなく、透明基板上に位置合わせすることができ、組み立てが容易である。
【００１６】
しかも、内側遮光部および外側遮光部は、導光体あるいはカバーと一体に形成されているので、押しボタン部の組み立てにおいても、内側遮光部および外側遮光部の位置ずれは発生せず、また、部品点数も少なく、組み立てが容易である。
【００１７】
本発明のスイッチユニットは、さらに、前記ボタン本体が、前記天面部、該天面部よりも一回り大きい枠状の台部、および前記天面部と前記台部との間を繋ぐ弾性変形自在な屈曲変形部が一体に形成されている構成とすることもできる。
【００１８】
上記構成によれば、天面部が押し下げられると、屈曲変形部が屈曲し、天面部のみが下方に押し下がり、天面部への押し下げが解除されると、屈曲変形部の弾性力により、天面部が上方へ押し上げられ、定位置に復元する。このように、ボタン本体が弾性変形して押し下げ自在の構成を実現しているので、表示部による表示演出の妨げとなる、天面部を押し下げ自在に支持して、定位置に復帰させる機構を、別途設ける必要がない。
【００１９】
本発明は、本発明のスイッチユニットを備えた遊技機も発明の範疇としている。
【発明の効果】
【００２０】
本発明によれば、押しボタン部間および押しボタン部の配置領域の周囲にも画像を表示して、よりインパクトのある表示演出が可能であり、かつ、部品点数の増加や工程の煩雑化を伴うことなく光演出の光漏れも抑制し得るスイッチユニットを提供できるという効果を奏する。
【図面の簡単な説明】
【００２１】
【図１】本実施の形態に係るスイッチユニットを搭載したスロットマシンの概観斜視図である。
【図２】上記スイッチユニットの外観を示す斜視図である。
【図３】上記スイッチユニットの分解斜視図である。
【図４】上記スイッチユニットにおけるトッププレート部の分解斜視図である。
【図５】上記スイッチユニットにおける操作ユニットの分解斜視図である。
【図６】上記操作ユニットにおける透明基板の斜視図である。
【図７】上記操作ユニットにおける押しボタン部の分解斜視図である。
【図８】上記スイッチユニットにおける押しボタン部の動きを説明する要部断面図である。
【図９】上記スイッチユニットにおける光演出を説明する要部断面斜視図である。
【図１０】上記スイッチユニットにおける押しボタン部の取り付け方を説明する斜視図である。
【図１１】上記スイッチユニットにおける防水構造を説明する要部断面図である。
【図１２】上記スイッチユニットとスロットマシンとの間の防水構造を説明する要部断面図である。
【発明を実施するための形態】
【００２２】
以下、添付図面を参照しながら本発明の好適な実施形態を説明する。但し、本発明は以下の実施形態に限定されるものではなく、本発明の要旨を逸脱しない範囲において種々設計変更することができる。
【００２３】
本発明のスイッチユニットは、各種遊技機や産業用機器、民生機器などの操作盤に使用できる。本実施の形態では、カジノ等の遊技ホールに設置される遊技機としてのスロットマシンに搭載された例を説明する。
【００２４】
図１は、本実施の形態に係るスイッチユニット１０を搭載したスロットマシン１の概観斜視図である。図１に示すように、スロットマシン１は、遊技者（操作者）と対峙する前面の中央部にリール部２が設けられ、その下方に操作盤３が設けられている。
【００２５】
リール部２には、複数種類のシンボルが表示された複数のリール（図示せず）が備えられている。複数のリールは、遊技者がスイッチユニット１０における後述するＳＰＩＮボタンを押下することで回転を開始し、機器の制御によって自動に停止する。リールが停止したときにリール部２の窓（図示せず）に表示されているシンボルの揃い方とその揃っているシンボルとによって役が決定する。遊技者には、決定した役とベット数（賭け数）とに応じて賞が付与される。なお、リール部２の構成としては、リールが実際に設けられている構成の他、リール部２がＬＣＤ（liquid crystal display）より構成されていて、リールに相当する画像が表示されている構成などであってもよい。
【００２６】
操作盤３には、複数の押しボタン式のスイッチを備えたスイッチユニット１０と、紙幣投入口４と、チケット払出口５とが設けられている。スイッチユニット１０は、遊技者がスロットマシン１をプレイするときのベット数の指定や、リールの回転開始の指示を受け付けるものである。
【００２７】
図２は、スイッチユニット１０の外観を示す斜視図であり、図３は、スイッチユニット１０の分解斜視図である。図２、図３に示すように、スイッチユニット１０は矩形状をなし、表示装置（表示部）１００と、操作ユニット（操作部）３０と、トッププレート部２０とを備えている。
【００２８】
表示装置１００は、例えばＬＣＤ等からなり、ゲームに関する画像データを表示する。例えば、表示装置１００は、その上方に配される操作ユニット３０の各押しボタン部５０の機能やゲームの演出やゲームに登場するキャラクター等の画像を表示することで、遊技者に自装置でプレイしてもらうようアピールすることが可能である。
【００２９】
操作ユニット３０は、一部を除いて各部材が透明材料で構成される。これにより、遊技者は、表示装置１００に表示される画像を、操作ユニット３０を通して視認することができる。操作ユニット３０は、複数の押しボタン部５０を有し、ベット数の入力（ベットボタン）や、ゲームの開始指示（スピンボタン）に用いられる。
【００３０】
トッププレート部２０は、操作ユニット３０の上面に設けられる透明なカバーである。トッププレート部２０における押しボタン部５０と対応する位置には、押しボタン部５０を突出さるための開口２１ａが形成されている。また、トッププレート部２０は、周縁部を除いて透明材料で構成されている。
【００３１】
表示装置１００と操作ユニット３０とは、ネジ等で固定されてユニット化（一体化）され、トッププレート２０は、さらにその上に配設されている。
【００３２】
図４は、上記トッププレート部２０の分解斜視図である。図４に示すように、トッププレート部２０は、トッププレート本体２１と、トップフレーム２２と、防水ゴム２３とを備えている。
【００３３】
トッププレート本体２１は、透明プラスチック等の透明材料よりなり、上述した複数の開口２１ａが形成されている。トップフレーム２２は、トッププレート本体２１の周縁部を支持する枠状の支持体である。トップフレーム２２は、その周縁部がスロットマシン１の筐体に支持される。防水ゴム２３は、トップフレーム２２の周縁部の裏側に、例えば両面テープ等で取り付けられている。
【００３４】
図５は、操作ユニット３０の分解斜視図であり、図６は、透明基板３４の斜視図である。図５に示すように、操作ユニット３０は、複数の押しボタン部５０と、スイッチベース（ベース）３２と、４個のＬＥＤ制御基板３３と、透明基板３４と、絶縁シート３５と、スペーサ３６と、ベースフレーム３７とを備えている。
【００３５】
複数の押しボタン部５０は、大きさは異なるものの、何れも同じ構造を有しており、詳細については、図７を参照して後述する。スイッチベース３２は、透明プラスチック等の透明材料よりなり、表示装置１００の表示領域と対応する位置に、複数の開口３２ａが形成されている。押しボタン部５０は、この開口３２ａを介して、その下方の透明基板３４上に載置される。上記開口３２ａは、表示領域の周縁部を避け、かつ、互いの間を隔てて形成されている。これにより、押しボタン部５０間および押しボタン部５０の配置領域の周囲にも、表示装置１００の画像が表示される。
【００３６】
透明基板３４は、ＯＨＰシートのような薄い透明樹脂シートよりなる。図６に示すように、透明基板３４における押しボタン部５０と対応する位置には、電子部品である複数のＬＥＤ４０と、複数のフォトセンサ４１とが搭載されている。ＬＥＤ４０は、押しボタン部５０の周縁部、詳細には後述する天面部５２ａの周囲を光らせるものであり、フルカラーＬＥＤである。フォトセンサ４１は、押しボタン部５０の押し下げ、詳細には天面部５２ａの押し下げを検出するものである。図６の例では、１つの押しボタン部５０に対して、１個のフォトセンサ４１と、各辺に２個ずつ計８個のＬＥＤ４０が搭載されている。
【００３７】
図５に戻り、４個のＬＥＤ制御基板３３は、透明基板３４と導通して、複数のＬＥＤ４０を駆動するものである。また、フォトセンサ４１から入力される信号に基づいて、押しボタン部５０の押し下げを検出するものである。
【００３８】
これら透明基板３４および４個のＬＥＤ制御基板３３は、絶縁シート３５を介してベースフレーム３７上に配設され、さらにその上に、スイッチベース３２が配設されている。スイッチベース３２〜ベースフレーム３７までの部品は、ネジ等で固定されてユニット化（一体化）されている。
【００３９】
なお、スペーサ３６は、表示装置１００と絶縁シート３５との間の隙間を埋める厚み調整部材である。スペーサ３６および絶縁シート３５も、当然のことながら透明材料よりなる。
【００４０】
図７は、押しボタン部５０の分解斜視図である。図７に示すように、押しボタン部５０は、ボタンカバー（カバー）５１と、ボタン本体５２と、遮光片５５と、拡散部材５３と、導光部材（導光体）５４とを備えている。
【００４１】
ボタンカバー５１は、透明プラスチック等の透明材料よりなり、上面に開口５１ａを有する枠状部材である。ボタンカバー５１は、ボタン本体５２の外周下部を、その下端部に配設される導光部材５４を含めて覆うように、ボタン本体５２の上方から取り付けられる。
【００４２】
ボタンカバー５１の外周下部には、遮光シール部（外側遮光部）６０が形成されている。遮光シール部６０は、ボタンカバー５１の外周を一周するように環状に設けられた、壁状の突起であり、例えば弾性を有する黒色の樹脂材料からなる。
【００４３】
詳細については後述するが、遮光シール部６０は、押しボタン部５０が、スイッチベース３２の開口３２ａ内に載置された状態で、周囲にある部材（スイッチベース３２およびトッププレート本体２１）と密着して、押しボタン部５０の外周側を密封して防水構造をとるものである。さらに、遮光シール部６０は、防水構造をとった状態で、ボタンカバー５１の外周側へと漏れる光を遮光するものである。このような遮光シール部６０は、例えば、２色成形にてボタンカバー５１と一体に形成されている。
【００４４】
ボタン本体５２は、底面が開放された蓋状の部材であり、天面部５２ａが押し下げ自在である。ボタン本体５２の下部は、天面部５２ａよりも一回り大きく形成された枠状の台部５２ｂをなし、天面部５２ａと台部５２ｂとの間が、弾性変形自在な屈曲変形部５２ｃで連結されている。台部５２ｂの導光部材５４が設けられる側の面（下面）には、遮光片５５を取り付けるための取付部５２ｄが形成されている。
【００４５】
ボタンカバー５１が取り付けられた状態では、天面部５２ａがボタンカバー５１の開口５１ａを通して上方に突出している。天面部５２ａが押し下げられると、屈曲変形部５２ｃが屈曲し、天面部５２ａのみが下方に押し下がる。また、天面部５２ａへの押し下げが解除されると、屈曲変形部５２ｃの弾性力により、天面部５２ａが上方へ押し上げられ、定位置に復元する。
【００４６】
天面部５２ａと台部５２ｂとは透明プラスチック等からなり、屈曲変形部５２ｃは例えば光透過性のあるエラストマー樹脂よりなる。屈曲変形部５２ｃは、例えば、２色成形にて天面部５２ａと台部５２ｂと一体に形成されている。さらに、屈曲変形部５２ｃには、ボタンカバー５１の裏面と当接する部分に、内側シール部６１が同一樹脂材料で一体に形成されている。内側シール部６１は、屈曲変形部５２ｃの外周を一周するように環状に設けられた、壁状の突起である。内側シール部６１は、詳細については後述するが、天面部５２ａが押し下げられても、突起の先端がボタンカバー５１の裏側に密着し続けて、ボタン本体５２とボタンカバー５１との隙間を密封して、防水構造をとるものである。
【００４７】
遮光片５５は、前述した透明基板３４上のフォトセンサ４１の検出対象物である。取付部５２ｄに取り付けられ、ボタン本体５２の天面部５２ａと一体に移動して上下動する。
【００４８】
導光部材５４は、導光材料より構成された枠状の導光体であり、ボタン本体５２の台部５２ｂの下方に取り付けられる。導光部材５４における透明基板３４と接触する側の面（下面）には、透明基板３４上のＬＥＤ４０を収容する凹部５４ａが形成されている。図示してはいないが、導光部材５４の底面には、部分的に存在するＬＥＤ４０の光を、導光部材５４全体に伝播させて面光源化するための加工が施されている。
【００４９】
また、導光部材５４の上面には、遮光片５５との緩衝を避けるための凹部５４ｂと、凹部５１ｂとは反対側の辺に、ボタン本体５２に当接する突起５４ｃが形成されている。突起５４ｃが形成されることで、ボタン本体５２は、ボタンカバー５１に対して遮光片５５が設けられている側だけが下がるように規制される。なお、通常、遮光片５５は、押しボタン部５０における遊技者に近い側に設けられる。
【００５０】
さらに、導光部材５４の内周面には、導光部材５４から天面部５２ａの内周側に漏れる光を遮光する内側遮光部６２が形成されている。内側遮光部６２は、導光部材５４の内周面に一周するように設けられており、例えば弾性を有する黒色の樹脂材料からなる。内側遮光部６２は、例えば２色成形にて導光部材５４と一体に形成されている。
【００５１】
拡散部材５３は、ボタン本体５２の台部５２ｂと導光部材５４との間に配設されるシート状の部材である。拡散部材５３は、導光部材５４から放出される光を散乱させて輝度ムラを抑制するために配設される。拡散部材５３は、導光部材５４と同じく枠状に形成され、遮光片５５を通過させるための切り込みが形成されている。
【００５２】
ボタンカバー（カバー）５１、ボタン本体５２、遮光片５５、拡散部材５３、および導光部材（導光体）５４を備える押しボタン部５０は、ユニット化（一体化）されている。
【００５３】
図８は、スイッチユニットにおける押しボタン部５０の動きを説明する要部断面図である。図８の矢印に示されるように、押しボタン部５０の天面部５２ａは、遊技者により押下されたときに、突起５４ｃを有する側は押し下がらず、遮光片５５を有する側が、屈曲変形部５２ｃの屈曲によって押し下がる。このとき、天面部５２ａは、遮光片５５に当接し、遮光片５５も押し下げる。これにより、遮光片５５がフォトセンサ４１に検知され、押しボタン部５０がオンされたことが検出される。
【００５４】
図９は、スイッチユニット１０における光演出を説明する要部断面斜視図である。図９に示されるように、押しボタン部５０は、天面部５２ａの外周に、ボタンカバー５１、屈曲変形部５２ｃ、台部５２ｂ、導光部材５４、拡散部材５３が設けられている。そして、透明基板３４の、天面部５２ａの外周に対応する位置に、ＬＥＤ４０が配置される。これにより、押しボタン部５０の天面部５２ａの外周を様々な色で発光させることができ、演出効果を高めることができる。
【００５５】
そして、ボタン本体５２の内側、より具体的には、導光部材５４の内周面には、内側遮光部６２が設けられており、導光部材５４から天面部５２ａの内側に漏れる光が遮光される。これにより、光演出の光が、天面部５２ａの内側に表示される表示装置の画像に干渉することを防止（抑制）することができる。
【００５６】
さらに、押しボタン部５０の外側、より具体的には、ボタンカバー５１の外周面には、遮光シール部６０が設けられており、導光部材５４からボタンカバー５１を介して押しボタン部５０の外側へと漏れる光が遮光される。遮光シール部６０は、ボタンカバー５１とスイッチベース３２との隙間を埋めると共に、先端部がトッププレート本体２１に押し潰されることで内向きに弾性変形している。潰れた状態の遮光シール部６０により、光演出の光が、押しボタン部５０の外側に表示される表示装置の画像に干渉することを防止（抑制）することができる。
【００５７】
図１０は、スイッチユニット１０における押しボタン部５０の取り付け方を説明する斜視図である。図１０に示すように、ユニット化された押しボタン部５０は、トッププレート部２０を外すことで、表示装置１００と一体化された状態の操作ユニット３０に対し、着脱自在となる。押しボタン部５０を外した状態で、スイッチベース３２の開口３２ａには、透明基板３４に搭載されたＬＥＤ４０やフォトセンサ４１が露出している。押しボタン部５０は、開口３２ａを介して透明基板３４の上に載置されるように取り付けられる。
【００５８】
図１１は、スイッチユニット１０における防水構造を説明する要部断面図である。図１１に示すように、スイッチユニット１０として組み立てられた状態で、ボタンカバー５１の外周面に設けられた遮光シール部６０は、開口３２ａの内壁面に密着して、開口３２ａとボタンカバー５１の外周との隙間を密封する。さらに、遮光シール部６０の立ち上がった先端部が、トッププレート本体２１に押し潰されて弾性変形することで、開口３２ａとボタンカバー５１の外周との隙間をより堅固に密封する（押しボタン部５０の外周側の防水構造）。
【００５９】
これにより、押しボタン部５０を着脱自在としても、押しボタン部５０とスイッチベース３２の開口３２ａとの間からの液体の侵入を阻止して、透明基板３４に搭載されたＬＥＤ４０等の電子部品の水濡れを防ぐことができる。また、遮光シール部６０は、２色成形にて形成されているので、別部材を貼り合わせて一体化する構成よりも、ボタンカバー５１と遮光シール部６０との密封性を高めることができる。
【００６０】
また、ボタン本体５２の外周にボタンカバー５１が嵌め合わされた状態で、屈曲変形部５２ｃに設けられた内側シール部６１は、ボタンカバー５１に押し潰されて弾性変形する。弾性変形した状態で、内側シール部６１は、ボタンカバー５１の裏面と密着して、ボタン本体５２とボタンカバー５１との隙間を密封する。内側シール部６１は、天面部５２ａが押し下げられても、ボタンカバー５１の裏側に密着し続けて、ボタン本体５２とボタンカバー５１との隙間を密封する。
【００６１】
これにより、天面部５２ａを押し下げ自在としても、天面部５２ａを有するボタン本体５２とボタンカバー５１との間のからの液体の侵入を阻止して、透明基板３４に搭載されたＬＥＤ４０等の電子部品の水濡れを防ぐことができる。また、内側シール部６１は、２色成形にて形成されているので、別部材を貼り合わせて一体化する構成よりも、ボタン本体５２自体の密封性を高めることができる。
【００６２】
図１２は、スイッチユニット１０とスロットマシンとの間の防水構造を説明する要部断面図である。図１２に示すように、スロットマシン１に、表示装置１００および操作ユニット３０がユニット化されたものが取り付けられた状態で、その上にトッププレート部２０を配設すると、防水ゴム２３がスロットマシン１の筐体１０１と密着して、トッププレート部２０とスロットマシン１の筐体１０１との間からの液体の侵入が阻止される。
【００６３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００６４】
本発明は、各種遊技機や産業用機器、民生機器などの操作盤に使用できる。
【符号の説明】
【００６５】
１  スロットマシン
３  操作盤
１０  スイッチユニット
２０  トッププレート部
２１  トッププレート本体
２１ａ  開口
２２  トップフレーム
２３  防水ゴム
３０  操作ユニット
３２  スイッチベース
３２ａ  開口
３３  ＬＥＤ制御基板
３４  透明基板
３５  絶縁シート
３７  ベースフレーム
４０  ＬＥＤ（光源）
４１  フォトセンサ
５０  押しボタン部
５１  ボタンカバー
５１ａ  開口
５２  ボタン本体
５２ａ  天面部
５２ｂ  台部
５２ｃ  屈曲変形部
５２ｄ  取付部
５３  拡散部材
５４  導光部材
５５  遮光片
６０  遮光シール部（外側遮光部）
６１  内側シール部
６２  内側遮光部
１００  表示装置
１０１  筐体
【図１】
0006421694.tif 000002
【図２】
0006421694.tif 000003
【図３】
0006421694.tif 000004
【図４】
0006421694.tif 000005
【図５】
0006421694.tif 000006
【図６】
0006421694.tif 000007
【図７】
0006421694.tif 000008
【図８】
0006421694.tif 000009
【図９】
0006421694.tif 000010
【図１０】
0006421694.tif 000011
【図１１】
0006421694.tif 000012
【図１２】
0006421694.tif 000013